(57)【要約】【課題】ＵＳＩＭカ−ドの各種データの有効な切り替え利用。【解決手段】無線通信端末において、複数のＵＳＩＭカードを収容するＩＦ、このＩＦと無線ＢＢ制御部間の切り替え部、切り替え部を制御する制御部から構成される。【選択図】        図１
2004159062.tif 000002
【特許請求の範囲】
【請求項１】
公衆無線基地局と無線通信回線を介して通信をする無線通信端末において、
無線通信回線の加入者データ等を格納するＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードを接続して無線通信を行う無線通信部を有し、
前記無線通信端末は前記ＵＳＩＭカードを複数接続するための複数のインターフェイス部と前記複数のインターフェイス部の１つと前記無線通信部の接続を切り替える切り替え部と前記切り替え部を制御する制御部を有することを特徴とする無線通信端末。
【請求項２】
請求項１記載の無線通信端末において、
無線通信端末の電源投入を検出する検出部を有し、前記制御部は前記検出部が電源の投入を検出した時に、前記無線通信端末で所定の操作を行った場合に、前記切り替え部を所定の接続になるように制御することを特徴とする無線通信端末。
【請求項３】
請求項１記載の無線通信端末において、
前記無線通信端末が待ち受け時に、前記制御部は前記無線通信端末で所定の操作を行なった場合に、前記切り替え部を所定の接続になるように制御することを特徴とする無線通信端末。
【請求項４】
請求項１記載の無線通信端末において、
前記無線通信端末は複数のアプリケーションを実行する機能を有し、
前記制御部はアプリケーションの選択をするための所定の操作を行った場合に、前記切り替え部を所定の接続になるように制御することを特徴とする無線通信端末。
【請求項５】
請求項１記載の無線通信端末において、
前記ＵＳＩＭカードに電話帳データを格納、及び格納したデータを読み出して使用できる機能を有し、
前記制御部は前記無線通信端末で所定の操作を行った場合に、前記切り替え部を所定の接続になるように制御して、前記ＵＳＩＭカードに格納している電話帳データを切り替えて使用することを特徴とする無線通信端末。
【請求項６】
請求項１記載の無線通信端末において、
無線通信回線接続後に無線通信事業者の提供する各種サービスを要求する信号を送信後、
前記ＵＳＩＭカードに格納された加入者データでは前記各種サービスが利用できない場合は、
前記無線通信端末の表示部に前記ＵＳＩＭカードの切り替えを促すメッセージを表示することを特徴とする無線通信端末。
【請求項７】
請求項６記載の無線通信端末において、
前記無線通信端末の表示部に前記ＵＳＩＭカードの切り替えを促すメッセージを表示後、
前記制御部は前記無線通信端末で所定の操作を行った場合に、前記切り替え部を所定の接続になるように制御することを特徴とする無線通信端末。
【発明の詳細な説明】
【０００１】
【発明の属する技術分野】
本発明は、無線通信回線の加入者データ等を格納したＵＳＩＭカードを端末に挿入して無線通信を行う無線通信端末に関する。
【０００２】
【従来の技術】
従来、ＩＭＴ−２０００の無線通信端末には加入者データ等を格納したＵＳＩＭカードを端末に挿入して無線通信を行うものがあった。
【０００３】
このＵＳＩＭカードを入れ替えることにより、１つの回線契約で複数の種類の無線通信端末を使い分けることができる。その一方で、１つの無線通信端末を複数のＵＳＩＭカードを持ったユーザーが共有使用することもできる。
【０００４】
ところで、無線通信端末にカードを入れ替えて使用するものに、特許文献１があるが、無線通信部の実装された無線モジュールを入れ替えて使用するものである。
【０００５】
また、カードに無線通信プロトコルを入れて、カードを入れ替えることにより、複数の無線通信サービスを利用するものである（特許文献２参照）。
【０００６】
【特許文献１】
特開平０８−０７９３４４号公報
【特許文献２】
特開平１１−２８５０６６号公報
【０００７】
【発明が解決しようとする課題】
しかしながら、従来の無線通信端末では複数のＵＳＩＭカードに格納された各種データの有効な切り替え使用をする場合、ユーザーはＵＳＩＭカードを入れ替えて使用する必要があり、操作性が非常に悪かった。また、ＵＳＩＭカードはサイズが小さいため、カードを入れ替えるさいに、カードの紛失が危惧された。
【０００８】
本発明は、以上の点に着目して成されたもので、ＵＳＩＭカ−ドの各種データの有効な切り替え利用する無線通信端末を提供することを目的とする。
【０００９】
【課題を解決するための手段】
本発明は、請求項１の発明では、
公衆無線基地局と無線通信回線を介して通信をする無線通信端末において、
無線通信回線の加入者データ等を格納するＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードを接続して無線通信を行う無線通信部を有し、
前記無線通信端末は前記ＵＳＩＭカードを複数接続するための複数のインターフェイス部と前記複数のインターフェイス部の１つと前記無線通信部の接続を切り替える切り替え部と前記切り替え部を制御する制御部を有するようにした。
【００１０】
請求項２の発明は、請求項第１の無線通信端末において、
無線通信端末の電源投入を検出する検出部を有し、前記制御部は前記検出部が電源の投入を検出した時に、前記無線通信端末で所定の操作を行なった場合に、前記切り替え部を所定の接続になるように制御するようにした。
【００１１】
請求項３の発明は、請求項第１の無線通信端末において、
前記無線通信端末が待ち受け時に、前記制御部は前記無線通信端末で所定の操作を行った場合に、前記切り替え部を所定の接続になるように制御するようにした。
【００１２】
請求項４の発明は、請求項第１の無線通信端末において、
前記無線通信端末は複数のアプリケーションを実行する機能を有し、
前記制御部はアプリケーションの選択をするための所定の操作を行った場合に、前記切り替え部を所定の接続になるように制御するようにした。
【００１３】
請求項５の発明は、請求項第１の無線通信端末において、
前記ＵＳＩＭカードに電話帳データを格納、及び格納したデータを読み出して使用できる機能を有し、
前記制御部は前記無線通信端末で所定の操作を行った場合に、前記切り替え部を所定の接続になるように制御して、前記ＵＳＩＭカードに格納している電話帳データを切り替えて使用するようにした。
【００１４】
請求項６の発明は、請求項第１の無線通信端末において、
無線通信回線接続後に無線通信事業者の提供する各種サービスを要求する信号を送信後、
前記ＵＳＩＭカードに格納された加入者データでは前記各種サービスが利用できない場合は、前記無線通信端末の表示部に前記ＵＳＩＭカードの切り替えを促すメッセージを表示するようにした。
【００１５】
請求項７の発明は、請求項第６の無線通信端末において、
前記無線通信端末の表示部に前記ＵＳＩＭカードの切り替えを促すメッセージを表示後、
前記制御部は前記無線通信端末で所定の操作を行った場合に、前記切り替え部を所定の接続になるように制御するようにした。
【００１６】
【発明の実施の形態】
図１は本発明を実施した無線通信端末を使用した無線通信システムの構成図である。
【００１７】
本発明の実施例として、公衆無線通信の無線媒体がＩＭＴ−２０００の場合を例にして説明する。
【００１８】
図１において、１０１は公衆網、１０２、１０３は公衆網に接続されている通信回線、１０４は通信回線１０２を収容し、無線通信端末と無線通信を行う無線基地局、１０５は無線通信端末、１０６，１０７は無線通信端末１０５に挿入して使用するＵＳＩＭカード、１０８は無線通信端末１０５で操作、閲覧、使用するコンテンツサービスを実行するコンテンツサーバーである。
【００１９】
図２は無線通信端末１０５のブロック図である。
【００２０】
図２において、２０１は無線通信端末本体部、２０２は送受信を行うＲＦ部、２０３は電波を送受信するアンテナ、２０４は送信データの変調及び、受信データの復調を行う変復調部、２０５はＩＭＴ−２０００のレイヤ１からレイヤ３までの送信信号処理を行う送信処理部、２０６はＩＭＴ−２０００のレイヤ１からレイヤ３までの受信信号処理を行う受信処理部、２０７はデータ通信を行うさいのデータの誤り検出、訂正処理を行うデータ通信処理部、２０８は各種の制御処理を行う制御部、２０９、２１０はＵＳＩＭカードを接続するＵＳＩＭカードＩＦ部、２１１は前記ＵＳＩＭカードＩＦ２０９，２１０と前記制御部２０８の接続を切り替える切り替え部、２１２は前記切り替え部２１１の切り替えの制御を行う切り替え制御部、２１３は無線通信端末の操作部、２１４は無線通信端末の表示部、２１５は各部に電源を供給する電源部、２１６は電源の投入を検出する電源投入検出部である。
【００２１】
次に本発明の実施例の動作について説明する。
【００２２】
（１）ＵＳＩＭカードが１枚のみ接続されている場合
図３は、本発明の実施例を説明するための動作フロー図である。
【００２３】
まず、無線通信端末の電源が投入される時を例にして説明する。
【００２４】
電源部２１５がＯＮになり（ＳＴ３０１）、各部に電源が供給されると、電源投入検出部２１６は電源が投入された事を切り替え制御部２１２に通知する（ＳＴ３０２）。切り替え制御部２１２は切り替え部２１１を最初にＵＳＩＭカードＩＦ部２０９と制御部２０８の間が接続されるように制御する。次にＵＳＩＭカードＩＦ部２１０と制御部２０８の間が接続されるように制御する（ＳＴ３０３）。制御部２０８はＵＳＩＭカードＩＦ２０９かＵＳＩＭカードＩＦ２１０のどちらかに接続されたＵＳＩＭカードと通信を行い、ＵＳＩＭカードが接続されている事を検知すると（ＳＴ３０４）、制御部２０８は接続されているＵＳＩＭカードから、電話番号や加入者情報等の無線通信に必要な情報を読み出す（ＳＴ３０５）。
【００２５】
必要な情報を読み出し、無線通信の待ち受け状態になると、表示部２１４を待ち受け画面表示にする（ＳＴ３０６）。
【００２６】
次にＵＳＩＭカードが２枚とも接続されている場合の各動作について説明する。
【００２７】
（２）無線通信端末の電源投入時
図４は、本発明の実施例を説明するための動作フロー図である。
【００２８】
電源部２１５がＯＮになり（ＳＴ４０１）、各部に電源が供給されると、電源投入検出部２１６は電源が投入された事を切り替え制御部２１２に通知する（ＳＴ４０２）。
【００２９】
この時、操作部２１３において所定の操作を行うと（ＳＴ４０３）、制御部２０８はこの情報を切り替え制御部２１２に通知する。
【００３０】
切り替え制御部２１２は切り替え部２１１を所定の操作によりあらかじめ決められている接続、すなわちＵＳＩＭカードＩＦ部２０９、もしくはＵＳＩＭカードＩＦ部２１０のどちらかと制御部２０８の間が接続されるように制御する（ＳＴ４０４）。制御部２０８はＵＳＩＭカードＩＦに接続されているＵＳＩＭカードから、電話番号や加入者情報等の無線通信に必要な情報を読み出す（ＳＴ４０５）。
【００３１】
必要な情報を読み出し、無線通信の待ち受け状態になると、表示部２１４を待ち受け画面表示にする（ＳＴ４０６）。
【００３２】
（３）無線通信端末の待ち受け時
図５は、本発明の実施例を説明するための動作フロー図である。
【００３３】
無線通信端末の待ち受け時（ＳＴ５０１）、操作部２１３において所定の操作を行うと（ＳＴ５０２）、制御部２０８はこの情報を切り替え制御部２１２に通知する。
【００３４】
切り替え制御部２１２は切り替え部２１１を所定の操作によりあらかじめ決められている接続、すなわちＵＳＩＭカードＩＦ部２０９、もしくはＵＳＩＭカードＩＦ部２１０のどちらかと制御部２０８の間が接続されるように制御する（ＳＴ５０３）。制御部２０８はＵＳＩＭカードＩＦに接続されているＵＳＩＭカードから、電話番号や加入者情報等の無線通信に必要な情報を読み出す（ＳＴ５０４）。必要な情報を読み出し、無線通信の待ち受け状態になると、表示部２１４を待ち受け画面表示にする（ＳＴ５０５）。
【００３５】
（４）アプリケーションの選択操作
図６は、本発明の実施例を説明するための動作フロー図である。
【００３６】
操作部２１３において無線通信端末の持つアプリケーション選択のための所定の操作を行うと（ＳＴ６０１）、制御部２０８は選択されたアプリケーションに必要な各種パラメータ等が現在、接続経路が設定されているＵＳＩＭカードに格納されているか調べるために、必要な情報を読み出す（ＳＴ６０２）。
【００３７】
必要な各種パラメータ等が格納されていれば（ＳＴ６０３）、選択されたアプリケーションを実行する（ＳＴ６０４）。
【００３８】
必要な各種パラメータ等が格納されていなければ、切り替え制御部２１２は切り替え部２１１を制御部２０８間と別のＵＳＩＭカードの接続経路が設定されるように制御する（ＳＴ６０５）。
【００３９】
そして、ＵＳＩＭカードに格納されている必要な情報を読み出し（ＳＴ６０６）、選択されたアプリケーションを実行する（ＳＴ６０４）。
【００４０】
（５）電話帳データの切り替え
図７は、本発明の実施例を説明するための動作フロー図である。
【００４１】
操作部２１３において電話帳データの切り替えのための所定の操作を行うと（ＳＴ７０１）、制御部２０８はこの情報を切り替え制御部２１２に通知する。
【００４２】
切り替え制御部２１２は切り替え部２１１を所定の操作によりあらかじめ決められている接続、すなわちＵＳＩＭカードＩＦ部２０９、もしくはＵＳＩＭカードＩＦ部２１０のどちらかと制御部２０８の間が接続されるように制御する（ＳＴ７０２）。そして、表示部２１４を電話帳メニュー画面の表示にする（ＳＴ７０３）。
【００４３】
（６）コンテンツサービスの利用
図８は、本発明の実施例を説明するための動作フロー図である。
【００４４】
無線通信事業者の提供するコンテンツサービス、例えば各種情報提供サービス等があるが、これらは別途利用のための契約が必要で、有料のものが多い。これらサービスの契約情報は加入者情報と一緒に通信事業者のデータベースに格納されている。
【００４５】
次に、このコンテンツサービスを利用する場合の動作ついて説明する。
【００４６】
操作部２１３によりコンテンツサービスの開始操作を行うと（ＳＴ８０１）、まず、無線通信回線を接続する（ＳＴ８０２）。そして、公衆網１０１に接続されている無線通信事業者のデータベース（図示せず）により、ユーザーがコンテンツサービスの利用契約をしている加入者か調べられる。ここで、利用契約をしていれば（ＳＴ８０３）、コンテンツサーバー１０８に接続されてサービスが開始される（ＳＴ８０４）。
【００４７】
利用契約がされていなければ、サービス要求の拒否信号が送られてくる（ＳＴ８０５）。そして、無線回線が切断される（ＳＴ８０６）。制御部２０８はこの拒否信号が送られてきたことを検出すると（ＳＴ８０７）、表示部２１４に、例えば「サービスの契約をしていません。ＵＳＩＭカードを切り替えてください。」とＵＳＩＭカードの切り替えメッセージを表示する。（ＳＴ８０８）の切り替えメッセージを表示する。
【００４８】
ユーザーは操作部２１３において所定の操作を行うと（ＳＴ８０９）、制御部２０８はこの情報を切り替え制御部２１２に通知する。
【００４９】
切り替え制御部２１２は切り替え部２１１を所定の操作によりあらかじめ決められている接続、すなわちＵＳＩＭカードＩＦ部２０９、もしくはＵＳＩＭカードＩＦ部２１０のどちらかと制御部２０８の間が接続されるように制御する（ＳＴ８１０）。制御部２０８はＵＳＩＭカードＩＦに接続されているＵＳＩＭカードから、電話番号や加入者情報等の無線通信に必要な情報を読み出す（ＳＴ８１１）。必要な情報を読み出し、無線通信の待ち受け状態になると、表示部２１４を待ち受け画面表示にする（ＳＴ８１２）。
【００５０】
そして、再度、操作部２１３によりコンテンツサービスの開始操作を行い、サービスを利用する（ＳＴ８０４）。
【００５１】
【他の実施例】
上記実施例では、ＵＳＩＭカードＩＦが２つの場合を例にしたが、２つ以上であっても全く同様な動作ができ、同様な効果がある。
【００５２】
上記実施例では、無線通信の媒体としてＩＭＴ−２０００を用いたが、他の無線通信の媒体でも全く同様な動作ができ、同様な効果がある。
【００５３】
【発明の効果】
以上説明したように、本発明によると
公衆無線基地局と無線通信回線を介して通信をする無線通信端末において、
無線通信回線の加入者データ等を格納するＵＳＩＭカードを接続して無線通信を行う無線通信部を有し、
前記無線通信端末は前記ＵＳＩＭカードを複数接続するための複数のインターフェイス部と前記複数のインターフェイス部の１つと前記無線通信部の接続を切り替える切り替え部と前記切り替え部を制御する制御部を有するようにしたので、
複数のＵＳＩＭカードに格納された各種データの有効な切り替え使用をする場合、ユーザーはＵＳＩＭカードを入れ替えて使用する必要が無い。また、ＵＳＩＭカードを入れ替えるさいのカード紛失の心配も無い。
【００５４】
以上のような極めて優れた効果がある。
【図面の簡単な説明】
【図１】本発明を実施したシステムの構成図
【図２】無線通信端末のブロック図
【図３】本発明の実施例を説明するための動作フロー図
【図４】本発明の実施例を説明するための動作フロー図
【図５】本発明の実施例を説明するための動作フロー図
【図６】本発明の実施例を説明するための動作フロー図
【図７】本発明の実施例を説明するための動作フロー図
【図８】本発明の実施例を説明するための動作フロー図
【符号の説明】
１０１  公衆網
１０２、１０３  通信回線
１０４  無線基地局
１０５  無線通信端末
１０６、１０７  ＵＳＩＭカード
１０８  コンテンツサーバー
２０１  無線通信端末本体部
２０２  ＲＦ部
２０３  アンテナ
２０４  変復調部
２０５  送信処理部
２０６  受信処理部
２０７  データ通信処理部
２０８  制御部
２０９、２１０  ＵＳＩＭカードＩＦ部
２１１  切り替え部
２１２  切り替え制御部
２１３  操作部
２１４  表示部
２１５  電源部
２１６  電源投入検出部
【図１】
2004159062.tif 000003
【図２】
2004159062.tif 000004
【図３】
2004159062.tif 000005
【図４】
2004159062.tif 000006
【図５】
2004159062.tif 000007
【図６】
2004159062.tif 000008
【図７】
2004159062.tif 000009
【図８】
2004159062.tif 000010